(57)【要約】      （修正有）【課題】見た目に優れており、かつ水切りが十分にできる棚を備えた浴室を提供する。【解決手段】壁面に取り付けられる棚１００ａを備えた浴室であり、棚には、棚板１１０と、棚板と隙間を隔てて上部に位置する導入部材１２１とを備え、棚板には、壁面へ向かって下方向に勾配を設けるとともに、壁面側端部には勾配方向に形成された排水溝１１２ａ、１１２ｂを備え、排水溝には、壁面へ向かってさらに下方向に傾斜が設け、導入部材を、排水溝の浴室内側先端部より壁面側に備え、下端の浴室内側に面取り部を形成する。【選択図】図３（ａ）
2005131165.tif 000002
【特許請求の範囲】
【請求項１】
壁面に取り付けられる棚を備えた浴室であって、
前記棚は、棚板と、前記棚板と隙間を隔てて上部に位置する導入部材とを備え、
前記棚板には、前記壁面へ向かって下方向に勾配が設けられるとともに、前記壁面側端部には前記勾配方向に形成された排水溝を備え、前記排水溝には、前記壁面へ向かってさらに下方向に傾斜が設けられ、
前記導入部材は、前記排水溝の浴室内側先端部より前記壁面側に設けられるとともに、下端の浴室内側には面取り部が形成されている、
ことを特徴とする浴室。
【発明の詳細な説明】
【技術分野】
【０００１】
本発明は、壁面に取り付けられる棚を備えた、浴室に関する。
【背景技術】
【０００２】
浴室には、洗い場の床面を流れる汚水により汚染されないよう、シャンプー、リンス等の浴用品を載置することができる浴室用壁掛け棚が取り付けられることが多い。これらの棚には、浴用品に付着していた水滴が棚板部に溜まりやすく、十分に水抜きされない場合には、水の腐敗や、染みの付着、さらには棚板の品質劣化を招いていた。
【０００３】
特許文献１には、水抜き用孔を備えた棚が開示されている。図８に示すように、棚４００は、壁４０５の壁面に取り付けられた掛止め具４２０ａ、および４２０ｂに着脱自在に取り付けられる樹脂製の棚であり、底板４３０と前板４３５と一対の側板４４０と背板４４５とを備えている。そして、底板４３０と背板４４５とのコーナ部４５０に、掛止め具４２０ａ、および４２０ｂを挿通する貫通孔４６０ａ、および４６０ｂを開け、背板４４５に貫通孔４６０ａ、および４６０ｂに連なる縦溝４７０ａ、および４７０ｂを開けている。さらに、縦溝４７０ａ、および４７０ｂを背板４４５の上側に延ばし、その上端部４７１ａ、および４７１ｂを閉塞している。
【０００４】
なお、コーナ部４５０に開けた貫通孔４６０ａ、および４６０ｂは、水抜き用孔を兼ねており、平棚４１０内の水を、底板４３０を伝わせ貫通孔４６０ａ、および４６０ｂから排水している。
【０００５】
また、公知の技術として、上記の構成に加えて、縦溝４７０ａ、４７０ｂ、および貫通孔４６０ａ、および４６０ｂを隠すように、背板４４５、底板４３０に跨って、被覆部材を取り付ける方法が知られている。
【特許文献１】特開平８−１９４８６号公報
【発明の開示】
【発明が解決しようとする課題】
【０００６】
貫通孔、および縦溝は、それぞれ壁に取り付ける際や、排水時において効果的であるが、浴室内側面を遮蔽されていない場合はその構造が露呈しており、見栄えが悪いという問題があった。そのため、縦溝、および貫通孔を隠す被覆部材を取り付け、見た目を向上させたが、水抜きが困難となるという問題が生じた。
【０００７】
そこで、本発明では、見た目に優れており、かつ水切りが十分にできる棚を備えた浴室を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、壁面に取り付けられる棚（１００ａ〜１００ｃ）を備えた浴室（２００）であって、棚は、棚板（１１０）と、棚板と隙間を隔てて上部に位置する導入部材（１２１）とを備え、棚板には、壁面へ向かって下方向に勾配が設けられるとともに、壁面側端部には勾配方向に形成された排水溝（１１２ａ、１１２ｂ）を備え、排水溝には、壁面へ向かってさらに下方向に傾斜が設けられ、導入部材は、排水溝の浴室内側先端部より壁面側に設けられるとともに、下端の浴室内側には面取り部（Ｒ１）が形成されていることを特徴とする浴室を提供して前記課題を解決する。
【発明の効果】
【００１０】
請求項１の発明によれば、棚板の傾斜に沿って導入部材まで移動した棚板上の残留水を、導入部材の面取り部によって排水溝に誘引し、排水溝の傾斜に沿って棚の外に排出することができる。また、導入部材によって、排水溝の大部分を浴室内側から隠せるので、見た目を向上することができる。
【発明を実施するための最良の形態】
【００１１】
以下本発明を図面に示す実施形態に基づき説明する。
【００１２】
図１は、本発明にかかる浴室２００の中央部近傍を、垂直に破断した場合における断面図である。図１では紙面左右を浴室２００の左右方向として表す。浴室２００は、浴室２００の左側に設置された浴槽１０と、浴槽１０の右側部に配置された排水溝１５と、排水溝１５のさらに右側に配置された洗い場２０と、浴室２００を囲む側壁３０、３１、および３２とを主要な構成要素として備えている（手前側の側壁は図示せず。）。なお、洗い場２０には浴槽１０側に下向きの傾斜が付けられている。側壁３０の壁面には、洗い場２０の上方に取り付けられた水栓４０ａ、および湯栓４０ｂと、これらの栓の開閉によって温度調節された湯が出る蛇口４１とが取り付けられており、切り替えレバー（図示せず。）によってシャワー４２に切り替えることも可能となっている。また、これらの水供給口の上方で、側壁３０のほぼ中央には窓４３が形成されている。さらに、窓４３の右方には棚１００ａ〜１００ｃが取り付けられており、窓４３、および棚１００ａ〜１００ｃの上方には照明４４が備えられている。
【００１３】
浴槽１０内の水は、排水口１１から、排水管５０（本図では一部が示されている。）を経て屋外の下水溝等へと排出される。また、洗い場２０に流された水は、排水溝１５に排出され、排水溝１５の水は配水管５０から屋外の下水溝等へと排出される。
【００１４】
本発明では、上記浴室２００に備えられている棚１００ａ〜１００ｃに最大の特徴を備えている。以下にその構造を詳述する。
【００１５】
図２は、棚１００ａ〜１００ｃの分解斜視図である。なお、棚１００ａ〜１００ｃは、いずれも同じ構造であるため、ここでは１００ａにこれらを代表させて説明する。なお、図２では紙面左斜め下方向を浴室内側とし、紙面右斜め上方向を壁面側とに表している。
【００１６】
棚１００ａは、棚板１１０と、棚板１１０の端部を覆うカバー材１２０と、棚板１１０の端部を支える支持部材１３０と、棚板１１０の浴室側に取り付けられ、棚板１１０上に載置された物の落下を防止する前柵１４０と、これらを一体となるように固定するねじＮ１〜Ｎ４、およびビスＶ１、Ｖ２とによって構成されている。
【００１７】
棚板１１０には、壁面方向に下向きの傾斜が付けられている。その勾配は1〜３°とすることが望ましい。勾配が1°未満の場合には、水が滞留するので望ましくなく、また、３°を越えると棚板１１０上に物を安定して載置できないため望ましくない。棚板１１０の浴室内側端部は、浴室内側に膨らんだ弧形状に形成されており、左右端部に孔１１１ａ、および１１１ｂが形成されている。一方、壁面側の略中央部には勾配方向に沿って排水溝１１２ａ、および１１２ｂが形成されており、壁面方向へ溝幅が広がるとともに、棚板の傾斜よりさらに急な勾配が付けられている。排水溝１１２ａ、および１１２ｂの左右脇には、孔１１４ａ、および１１４ｂが形成されている。
【００１８】
棚板１１０の壁面側端部に取り付けられるカバー材１２０は、上縁１２１、および下縁１２２を備え、上縁１２１、および下縁１２２の間は差込み口１２３となっている。上縁１２１からは、上斜め方向に後柵１２４が延設されている。これら上縁１２１、下縁１２２、および後柵１２４は、壁面側に膨らんだ弧形状に形成されている。後柵１２４の左右には側面１２５ａ、および１２５ｂが形成され、側面１２５ａ、１２５ｂの上辺、下辺の間には上面１２６、および下面１２７が形成されている。上面１２６、および下面１２７の壁面側の辺、および側面１２５ａ、および１２５ｂの壁面側の辺からなる背縁（本図には現われていない。）は、開放されており、壁面に対して平行な四角枠となっている。また、図２には現われていないが、下面１２７には、浴室内側の左右端部に孔１２８ａ、および１２８ｂが形成されている。
【００１９】
カバー材１２０内に納められる支持部材１３０は、カバー材１２０の内部に隙間無く嵌め入れられるようにカバー材１２０内部と略同一の形状であり、カバー材１２０の差込み口１２３に合わせて切り欠き部１３３が形成されている。切り欠き部１３３の上下には上縁１３１、および下縁１３２を備えている。下縁１３２の左右端部には孔１３４ａ、および１３４ｂが形成され、上縁１３１の左右端部には孔１３５ａ、および１３５ｂが形成されている。また、支持部材１３０には、上面１３６、および下面１３７と、背面１３８（本図には現われていない。）が形成されており、背面１３８は、壁面に対して平行となっている。背面１３８には、左右端部に壁面に固定するための孔１３９ａ、および１３９ｂが形成されている。
【００２０】
次に、棚板１１０、カバー材１２０、および支持部材１３０等の組み立て方を説明する。まず、ねじＮ１、およびねじＮ２を、支持部材１３０の孔１３９ａ、および１３９ｂ（本図には現われていない。）に貫通させ、そのまま壁面にねじＮ１、およびねじＮ２を差込んで固定する。続いて、この支持部材１３０を覆うようにカバー材１２０を嵌め入れ、差込み口１２３から棚板１１０を支持部材１３０の切り欠き部１３３の壁面側端部まで差込む。この状態でカバー材１２０の孔１２８ａ、および１２８ｂからねじＮ３、およびＮ４を差し入れ、続いてねじＮ３、およびＮ４を棚板１１０の孔１１４ａ、および１１４ｂに貫通させ、さらに支持部材１３０の孔１３４ａと１３５ａ、および孔１３４ｂと１３５ｂまでねじ入れて固定する。このねじＮ３、およびＮ４によって棚板１１０、カバー材１２０、および支持部材１３０が一体に固定されている。
【００２１】
さらに、棚板１１０の浴室内側には前柵１４０が取り付けられる。前柵１４０は、柵部１４１と柵部１４１の左右端部を支える支柱１４２ａ、および１４２ｂとで構成されている。支柱１４２ａ、および１４２ｂの上部には被覆部１４２ａ´、および１４２ｂ´が形成されており、柵部１４１の左右端部に形成された取り付け部１４１ａ、および１４１ｂを覆うことによって一体化されている。なお、支柱１４２ａ、および１４２ｂの下面には、孔１４３ａ、および１４３ｂが形成されている（図には現われていない。）。このように組み立てられた前柵１４０は、孔１４３ａ、および１４３ｂに差し入れられたビスＶ１、およびＶ２により、棚板１１０にねじ止めされる。
【００２２】
図３は、棚１００ａが組み立てられた様子を概略的に示す図である。図３（ａ）は、棚１００ａを浴室内側から見た斜視図である。浴室内側には、前柵１４０、棚板１１０、カバー材１２０が図示のように配置されている。さらに、排水溝１１２ａ、および１１２ｂの浴室内側端部が、上縁１２１の下方にわずかに露出している。上記のとおり、棚板１１０は壁面側に傾斜が付けられており、棚板１１０に溜まった水は、カバー材１２０の上縁１２１に集められる。上縁１２１は、図３の矢印ｙ１、およびｙ２で表すように壁面側に凸な弧形状であるため、左右端部に溜まった水も排水溝１１２ａ、および１１２ｂのある中心部に移動される。排水溝１１２ａ、および１１２ｂは、これらの水を上記溝の壁面側に下方向に付けられた傾斜によって、以下に詳述するように棚板１１０外へ排出させる。
【００２３】
上縁１２１の弧形状は、左右両端に浴室内方向への長さがとれるので、棚板１１０の左右端部を強固に固定することができ、棚板１１０の反り、垂下を防止できる。
【００２４】
図３（ｂ）は、棚１００ａを壁面側から見た斜視図である。カバー材１２０の背縁、および支持部材１３０の背面１３８が現われているが、実際に棚１００ａを取り付けた際には壁に面している。棚１００ａを壁に固定するねじＮ１、およびＮ２は、背面１３８の左右端部に形成された孔１３９ａ、および１３９ｂを貫通して取り付けられている。背面１３８には、下部中央が切り欠かれた第二排水口１５０が形成されており、棚板１１０の排水溝１１２ａ、および１１２ｂの壁面側から落下した水は、一点鎖線の丸枠内に図示される第一排水口１５１ａ、および１５１ｂを経て、第二排水口１５０から棚１００ａの外へ排出される。
【００２５】
第一排水口１５１ａ、および１５１ｂをより良く説明するために、矢印ｙ３の先に支持部材１３０のみを視点を下方に配置した斜視図により表す。なお、第一排水口１５１ａ、および１５１ｂは一点鎖線の丸枠内に示す。支持部材１３０の下面に形成されている第一排水口１５１ａ、および１５１ｂは、上記の排水溝１１２ａ、および１１２ｂに沿って形成されており、排水溝１１２ａ、および１１２ｂから落下した水は、ただちに第一排水口１５１ａ、および１５１ｂを通過して、第二排水口１５０から排水される。
【００２６】
図４は、棚１００ａを横方向からみた透視図である。図４（ａ）に示すように、棚板１１０の浴室内側（紙面左方向）には前棚１４０が取り付けられている。壁面方向（紙面右方向）には支持部材１３０、および支持部材１３０を覆うようにカバー材１２０が取り付けられている。点線による四角枠Ａ内に棚１００ａを平面図として示す。カバー材１２０の上縁１２１は、壁面側に凸な弧形状であるため、透視図である本図では上縁１２１の中央部Ｃが現われている。また、取り付け時における棚板１１０の壁面側が現われている。
【００２７】
上縁１２１の中心部、および棚板１１０の壁面側には、棚１００ａの水切りのために必要な形状が備えられている。以下に、これらの部材、および周辺部材の形状・構造と、棚１００ａが水切りされる様子を詳細に説明する。
【００２８】
図４（ｂ）は、図４（ａ）の四角枠Ａ内に示した棚１００ａのｂ−ｂ線による断面図である。棚板１１０は、上記のとおり、水を壁面側に集めるために壁側に向かって下方向に傾斜が付けられている。また、棚板１１０には、壁面側端部に排水溝１１２ｂが形成されており、浴室内側（紙面左方向）端部（以下において「高部Ｈ」とする。）から壁面側（紙面右方向）端部（以下において「低部Ｌ」とする。）に向かって下方向に勾配がつけられている。この勾配は、１／１５以上とすることが望ましい。排水溝１１２ｂはカバー材１２０の差込み口１２３に、高部Ｈから矢印ｙ４の長さで示される、先端の集水部１６０（１．０ｍｍ以上とすることが望ましい。）を除いて全体を差し入れられている。すなわち、排水溝１１２ｂはカバー材１２０によってほぼ全体が隠されている。この状態において、排水溝１１２ｂは、上縁１２１の下面１２１ａとの間に隙間ｇ１（１．４ｍｍ以上とすることが望ましい。）が設けられている。また、支持部材１３０は、背面１３８の中央部よりやや下方から上縁１２１付近まで差込まれる中面１３０ａを備えている。中面１３０ａの下面のさらに下方には、上縁１２１の下面１２１ａと略平行に、背面１３８まで排水溝１１２ｂとの隙間ｇ１が続いて（排水溝１１２ｂの下降傾斜に合わせて幅は拡張される。）形成されている。また、カバー材１２０の低部Ｌと背面１３８との間には隙間ｇ２が設けられている。隙間ｇ２はカバー材１２０に形成された第一排水口１５１、および支持部材１３０に形成された第二排水口１５０まで貫通している。すなわち、棚板１１０上の水は、排水溝１１２ｂ内に誘導されたのち、隙間ｇ１を通り、略９０度下方向に屈曲されて隙間ｇ２を通過し、第一排水口１５１を経て、第二排水口１５０から排水される。
【００２９】
棚板１１０上の水は、排水溝１１２ｂの集水部１６０に集められるが、通常は上記の排水溝１１２ｂと上縁１２１との隙間ｇ１の幅では、水の表面張力が働くため、滑らかに排水溝１１２ｂに誘引されない。そのため、上縁１２１には下記のように表面張力に抗するための形状が備えられている。また、上縁１２１により排水溝１１２ｂ内に入った水が、低部Ｌと背面１３８との隙間ｇ２間で留水することを防止し、第一排水口１５１を経て、第二排水口１５０から滞りなく排水させるために、低部Ｌにも表面張力に抗するための形状が備えられている。二点差線の丸枠内の拡大図を矢印ｙ５の先に示す。カバー材１２０の上縁１２１には、曲面となるよう面取りされた面取り部Ｒ１が形成されている。この面取り部Ｒ１の図中のＲ１´で示される幅は、０．５〜１．０ｍｍとなるように形成されていることが望ましい。この面取り部Ｒ１を備えた上縁１２１の構造により、高部Ｈに到達した水は表面張力に抗して排水溝１１２ｂ内に誘引される。また、排水溝１１２ｂ内の水は、低部Ｌの上面に形成された曲面状の面取り部Ｒ２により、再び水に形成される表面張力に抗して上記隙間ｇ２へ誘引される。この面取り部Ｒ２の図中のＲ２´で示される幅は、０．５〜１．０ｍｍとなるように形成されていることが望ましい。
【００３０】
図５は、棚１００ａ上から水が水切りされる様子を示した図である。なお、本図では、紙面左方向を浴室内側とし、右方向を壁面側として表している。図５（ａ）は、棚板１１０の水Ｗが、排水溝１１２ｂの集水部１６０に集められた様子を示している。上記のとおり、集水部１６０には傾斜があるため、表面張力を持った水Ｗは上縁１２１側に集まる。
【００３１】
図５（ｂ）は、排水溝１１２ｂに水Ｗが誘引される様子を示している。上記のとおり、上縁１２１には面取り部Ｒ１が形成されているため、表面張力に抗して水Ｗは排水溝１１２ｂの傾斜に沿って排水溝１１２ｂ内に誘引され、さらに毛細管現象も加わって壁面側に移動する。
【００３２】
図５（ｃ）は、隙間ｇ１の壁面側端部に水Ｗが導き入れられた様子を示している。
【００３３】
図５（ｄ）は、図５（ｃ）の状態から、水Ｗが棚１００ａから水切りされる様子を示している。隙間ｇ２の手前の位置まで導かれた水Ｗは、上記のとおり、棚板１１０の低部Ｌの上面に形成された面取り部Ｒ２によって表面張力に抗して隙間ｇ２に至り、支持部材１３０の第二排水孔１５０から排出される。
【００３４】
棚１００ａ〜１００ｃは、上記のとおり棚の構造のみで水切りを確実に行うことができ、かつ排水溝１１２ａ、１１２ｂのほぼ全体を浴室の利用者等から隠すことができるので見た目に優れている。
【００３５】
上記には、棚１００ａから水切りされるための一実施形態を示したが、この他にも排水溝１１２ｂの形状、または面取り部Ｒ１、およびＲ２の形状を変形させることが可能である。下記に変形例として示す。
【００３６】
（変形例）
図６には棚板１１０の変形例を示す。なお、本図では紙面右斜め上方向を壁面側、左斜め下を浴室内側として表している。図６（ａ）は、棚板１１０Ａに排水溝１７０が形成されている様子を示した斜視図である。棚板１１０Ａは、上記カバー材１２０、および支持部材１３０に取り付けられると、カバー材１２０の上縁１２１の略中央部に排水溝１７０の浴室内側先端部１７１が位置する。棚板１１０Ａは、壁面側に向かって下方向に1°以上の傾斜が付けられているとともに、さらに排水溝１７０には、壁面側に向かって下方向に１／１５以上の傾斜が付けられている。そのため、棚板１１０Ａの水はカバー材１２０の上縁１２１の中央部に集められ、排水溝１７０から排出される。
【００３７】
図６（ｂ）は、棚板１１０Ｂに排水路１７５が形成されている様子を示した斜視図である。棚板１１０Ｂは、上記カバー材１２０、および支持部材１３０に取り付けられる。棚板１１０Ａは、壁面側に向かって下方向に1°以上の傾斜が付けられているとともに、さらに排水路１７５には、壁面側に向かって下方向に１／１５以上の傾斜が付けられている。そのため、棚板１１Ｂの水はカバー材１２０の上縁１２１の中央部に集められ、排水路１７５から排出される。
【００３８】
また、図７には、面取り部Ｒ１、およびＲ２の変形例を示す。面取り部Ｒ１、およびＲ２は上記実施形態では曲面であったが、本図に示すように、面取り部Ｃ１、およびＣ２を平面形状とすることも可能である。この面取り部Ｃ１、およびＣ２の図中のＣ１´、およびＣ２´で示される幅は、０．５〜１．０ｍｍとなるように形成することが望ましい。
【００３９】
なお、上記において説明した実施形態は、壁掛け棚に関するものであるが、本発明はこれに限定されるものではなく、例えば壁面に直接固定する棚にも本発明の技術的範囲が及ぶ。
【００４０】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う浴室もまた本発明の技術的範囲に包含されるものとして理解されなければならない。
【図面の簡単な説明】
【００４１】
【図１】浴室を概略的に示す断面図である。
【図２】棚を概略的に示す分解斜視図である。
【図３（ａ）】棚が組み立てられた様子を浴室内側から見た斜視図である。
【図３（ｂ）】棚が組み立てられた様子を壁面側から見た斜視図である。
【図４（ａ）】棚全体を横方向から見た透視図である。
【図４（ｂ）】棚の部分断面を横方向から見た断面図である。
【図５】棚から水が水切りされる様子を示す連続図である。（ａ）には棚板の水が集められた図を、（ｂ）には排水溝に水が誘引された図を、また（ｃ）には隙間の壁面側端部に水が留水された図を示す。
【図６】棚板の変形例を示す。
【図７】面取り部の変形例を示す。
【図８】従来例を示す。
【符号の説明】
【００４２】
１００ａ〜１００ｃ  棚
１１０  棚板
１２１  上縁（導入部材）
１１２ａ、１１２ｂ  排水溝
Ｒ１  面取り部
２００  浴室
【図１】
2005131165.tif 000003
【図２】
2005131165.tif 000004
【図３（ａ）】
2005131165.tif 000005
【図３（ｂ）】
2005131165.tif 000006
【図４（ａ）】
2005131165.tif 000007
【図４（ｂ）】
2005131165.tif 000008
【図５】
2005131165.tif 000009
【図６】
2005131165.tif 000010
【図７】
2005131165.tif 000011
【図８】
2005131165.tif 000012